(57)【要約】【課題】  太陽エネルギー利用により商用電源よりも安いコストで照明できるランプを提供する。【解決手段】  透明のランプ・フードと、太陽エネルギー収集環と、受け台と、回路板と、充電電池と、及び底蓋とから構成されている。太陽エネルギー収集環は、上面に少なくとも一つの太陽電池パネルが配設されて、受け台の上面に固定されており、太陽エネルギー収集環から延びる出力線は受け台の下側に設けられた回路板に電気的に接続され、その回路板には一つまたは二つ以上の発光ダイオードが配設されているとともに、回路板とその下側に設けてある充電電池とが電気的に接続され、太陽エネルギー収集環、受け台及び回路板が上側から下側に向かってその順序で前記ランプ・フードに収容され、ランプ・フードの開口は回路板の下側においてランプ・フードに固着される底蓋で密閉されている。【選択図】      図２
0003106577.tif 000002
【実用新案登録請求の範囲】
【請求項１】
下面に開口する椀状の透明のランプ・フードと、太陽エネルギー収集環と、受け台と、回路板と、充電電池と、及び底蓋とから構成され、
前記太陽エネルギー収集環は、上面に少なくとも一つの太陽電池パネルが配設されて、前記受け台の上面に固定されており、
前記太陽エネルギー収集環から延びる出力線は前記受け台の下側に設けられた前記回路板に電気的に接続され、
その回路板には一つまたは二つ以上の発光ダイオードが配設されているとともに、前記回路板とその下側に設けてある前記充電電池とが電気的に接続され、
前記太陽エネルギー収集環、受け台及び回路板が上側から下側に向かってその順序で前記ランプ・フードに収容され、前記ランプ・フードの開口は前記回路板の下側において前記ランプ・フードに固着される前記底蓋で密閉されている、
ことを特徴とするランプの構造。
【請求項２】
受け台は、その上面外側に溝が設けられているとともに、その上面内側に台が形成されていて、前記太陽エネルギー収集環は前記溝に嵌合され、かつ、その太陽エネルギー収集環の中央の孔に前記台を嵌合して固定されていることを特徴とする請求項１記載のランプの構造。
【請求項３】
回路板の中央に配設された発光ダイオードはｍ字形その他任意の字形に形成されて当該字形に発光することを特徴とする請求項１又は２記載のランプの構造。
【請求項４】
充電電池は回路板の中央に配設された一つまたは二つ以上の発光ダイオードに電源を供給し、中央の発光ダイオードは所望の表示体に形成されて広告及び表示を行うことを特徴とする請求項１又は２記載のランプの構造。
【考案の詳細な説明】
【技術分野】
【０００１】
本考案は、多機能ランプの構造の改良に関する。
【背景技術】
【０００２】
道路に使われる照明ランプは、車両運行の安全を維持するために逆光を低減し、運転者または歩行者が夜間における視界不良時またはトンネルなどにおける突然の光度低下時の照明を提供しているが、その目的は運転者または歩行者がはっきりとした視界を得て、道路及び交通状況が把握できるようにして、交通の安全及び円滑な流れを確保することにある。一方、公園のランプはその特殊な造形が当該公園の景観と集団活動の特色と融合するように設計され、公園での活動、休憩、緊急避難時の空間確保機能などを特色あるものにし、かつ公園の夜間活動の楽しい雰囲気を作り出している。
【０００３】
図７は従来のランプの一例を示す図である。従来の道路用照明ランプ１は、白熱球、蛍光灯、ネオン電球、その他種類は多いが、そのいずれも相対的に電気を大量に消費するので、長期間使用すると電力不足の原因になりやすい。また、一般公園用ランプは、その照射方向が雰囲気の創出を主たる目的とするため、電球から発する熱が高く、故障しやすい。更に、現在全世界では、数億の人間が電源利用不可能なために依然電気のない環境にいる。
【特許文献１】なし
【考案の開示】
【考案が解決しようとする課題】
【０００４】
上記従来のランプの欠点をまとめると、次のとおりである。
１．所要の照明効果を得るには、数多く使用する必要があるため、総体的に電気を大量に消費するので、長期間使用すると電力不足の原因になる。
２．光源から発する熱は高く、故障しやすい。
３．エネルギー発生コストが高い。
４．外観装飾が単調であり、変化に乏しい。
５. 設置が不便である。
【０００５】
小型の太陽エネルギー電気供給機能を有する多機能ランプが実現されれば、他のエネルギー源よりも発電コストは格段に安くなる。本考案は、上記の点に着目してなされたものであり、その課題は、太陽エネルギー利用により他のエネルギー源を用いる商用電源よりも安いコストで照明することができるランプを提供することである。
【課題を解決するための手段】
【０００６】
上記の目的を達成するため、請求項１の考案によるランプの構造は、下面に開口する椀状の透明のランプ・フードと、太陽エネルギー収集環と、受け台と、回路板と、充電電池と、及び底蓋とから構成され、前記太陽エネルギー収集環は、上面に少なくとも一つの太陽電池パネルが配設されて、前記受け台の上面に固定されており、前記太陽エネルギー収集環から延びる出力線は前記受け台の下側に設けられた前記回路板に電気的に接続され、その回路板には一つまたは二つ以上の発光ダイオードが配設されているとともに、前記回路板とその下側に設けてある前記充電電池とが電気的に接続され、前記太陽エネルギー収集環、受け台及び回路板が上側から下側に向かってその順序で前記ランプ・フードに収容され、前記ランプ・フードの開口は前記回路板の下側において前記ランプ・フードに固着される前記底蓋で密閉されていることを特徴としている。
【０００７】
上記ランプの構造においては、受け台は、その上面外側に溝が設けられているとともに、その上面内側に台が形成されていて、前記太陽エネルギー収集環は前記溝に嵌合され、かつ、その太陽エネルギー収集環の中央の孔に前記台を嵌合して固定されていることが望ましい（請求項２）。
【０００８】
また、回路板の中央に配設された発光ダイオードはｍ字形その他任意の字形に形成されて当該字形に発光することが望ましい（請求項３）。
【０００９】
さらに、充電電池は回路板の中央に配設された一つまたは二つ以上の発光ダイオードに電源を供給し、中央の発光ダイオードは所望の表示体に形成されて広告及び表示を行うことが望ましい（請求項４）。
【考案の効果】
【００１０】
請求項１の考案は、上記の構成により、光源に発光ダイオードを用いるので故障率が低くて寿命が長く、熱発生源を効果的に減らすことができるとともに、太陽電池によって電気を発生するから、発電コストが非常に安く、蓄電するので夜間でも続けて照明を行うことができ、また、道路用ランプとして使用される場合は、交通の安全及び流れが確保されるので、運転の安全性が維持され、同時に景観照明に特色を与えることができる。さらに、発光ダイオードを用いるので、違った図形や文字を照射させることにより、表示効果または広告効果を高めることができる。さらに、構成要素が少なく、製造コストが低減される。
【００１１】
請求項２の考案によれば、太陽エネルギー収集環及び太陽電池パネルがしっかりと台に固定される。
【００１２】
また、請求項３の考案によれば、発光ダイオードがｍ字形その他任意の字形に形成されて当該字形に発光するので、ランプで各種の文字を表示することができる。
【００１３】
さらに、請求項４の考案によれば、発光ダイオードで各種の図柄その他の表示体に形成されて広告及び表示を行うので、広告・表示機能を備えたランプの提供が可能である。
【考案を実施するための最良の形態】
【００１４】
次に、本考案の実施の形態について図面を参照しながら説明する。
図１は本考案のランプの分解斜視図、図２は本考案のランプの組み立て完成状態の斜視図、図３は本考案のランプの側面図、図４は本考案に太陽電池パネルが布設された状態を示す斜視図、図５は本考案のランプの発光実施例図、図６は本考案のランプを道路に設置した例を示す図である。
【００１５】
図１〜図３に示すように、本考案に係るランプ２は、透明なランプ・フード３と、太陽エネルギー収集環４と、受け台５と、回路板６と、充電電池７と、底蓋８とから構成されている。
太陽エネルギー収集環４の表面には、少なくとも一つの、好ましくは複数の太陽電池パネル４０が前後緊密に連続して配列されている。その太陽エネルギー収集環４の中心側には孔４００が設けられている。
受け台５の上面外側には環状の溝５０が設けられ、受け台５の上面の中央には円形の台５１が形成されている。太陽エネルギー収集環４は、受け台５の溝５０に嵌合され、かつ孔４００に台５１を嵌合して固定されている。溝５０の底部には孔５００が設けられ、その孔に太陽エネルギー収集環４から延伸される出力線が通されて、受け台５の下側に収容される回路板６と電気的に接続されている。回路板６はねじ９により受け台５の下面に固着されている。
回路板６の中央には一つ又は二つ以上の発光ダイオード６０が配設されている。回路板６はその下側に備えてある電源を構成する充電電池７と接続されている。
ランプ・フード３は、下面に開口する椀上に形成してあり、その中に、上側から下側に向かって、上記太陽エネルギー収集環４，受け台５，回路板６及び充電電池７が収容され、最後に底蓋８がランプ・フード３の低面に密着固定されて、密封されている。
【００１６】
図２及び図５に示すように、太陽電池パネル４０は透明なランプ２の表面に臨ませてあるので、太陽エネルギーを電気に変換し、充電電池７に充電する。これにより充電電池７は回路板６に設けられている発光ダイオード６０に電源を提供する。
【００１７】
図５に示すように、中央の発光ダイオード６０を一例としてｍ字形に配置するとｍ字の発光機能が果たされ、また、他の任意の文字や数字により所望の装飾的変化を持たせることができ、使用者の希望によって各種の広告を表示することができる。
【００１８】
図６に示すように、本考案のランプは、これを道路両側の照明器具として設置することができ、太陽エネルギーの照射によって電気エネルギーを発生・蓄電し、夜間に発光ダイオード６０に電力を供給して照明を続けることができる。主として運転者または歩行者が夜間の視界不良の際またはトンネル進入時に光度が急激に変化した時の照明を提供し、運転者または歩行者に明確な視界を与えて、道路及び交通状況が把握できるようにして、交通の安全及び流れを確保することができるとともに、各種施設や公園などの景観の照明用にも使用可能である。
【００１９】
ランプ・フード３の底面は中空状で外部は透明の円形ガラスで完全に光線を通すことができる。ランプ・フード３は太陽エネルギー収集環４及び受け台５の上側に取り付けられて、これらを収容している。受け台５の下側は回路板６によりランプ・フード３内に密閉され、ねじ９により回路板６が固定され、回路板６の下側は底蓋８により密閉されて、滑らかな美観を備えている。
【００２０】
図４に示すように、本考案に係るランプにおいては、太陽エネルギー収集環４の表面に少なくとも一つの太陽電池パネル４１が等間隔をもって配列され、その太陽エネルギー収集環４の内側に孔４００が設けられて、この孔４００に台５１が固定されるようにしてもよい。
【００２１】
本考案の進歩性及び実用性を更に明らかにするため、上記従来品の欠点に対する本考案の利点を次に列挙する。
１．表示・案内性に優れている。
２．光源に発光ダイオードを用いるので、故障率が低くて寿命が長く、熱発生源を効果的に減らすことができる。
３．太陽電池によって電気を発生するから、発電コストが非常に安く、蓄電するので夜間でも続けて照明を行うことができる。
４．道路用ランプとして使用される場合は、交通の安全及び流れが確保されるので、運転の安全性が維持され、同時に景観照明に特色を与えることができる。
５．発光ダイオードを用いるので、違った図形や文字を照射させることにより、表示効果または広告効果を高めることができる。
【図面の簡単な説明】
【００２２】
【図１】本考案のランプの分解斜視図。
【図２】本考案のランプの組み立て完成状態の斜視図。
【図３】本考案のランプの側面図。
【図４】本考案に太陽電池パネルが布設された状態を示す斜視図。
【図５】本考案のランプの発光実施例図。
【図６】本考案のランプを道路に設置した例を示す図。
【図７】従来のランプの一例の構造図。
【符号の説明】
【００２３】
２      ランプ
３      ランプフード
４      太陽エネルギー収集環
４０    太陽団地パネル
４００  孔
５      受け台
５０    溝
５１    台
５００  孔
６      回路板
６０    発光ダイオード
７      充電電池
８      底蓋
【図１】
0003106577.tif 000003
【図２】
0003106577.tif 000004
【図３】
0003106577.tif 000005
【図４】
0003106577.tif 000006
【図５】
0003106577.tif 000007
【図６】
0003106577.tif 000008
【図７】
0003106577.tif 000009